(57)【要約】【課題】組み立て性を向上でき、かつ二次電池を確実に固定できる時計を提供すること。【解決手段】裏蓋を有する外装ケースと、外装ケースに収容され、裏蓋側に開口して形成された収容凹部２３を有するムーブメント２と、ムーブメント２の収容凹部２３に収容される二次電池ユニット３と、収容凹部２３に対応する位置に開口部４Ａが形成されて、二次電池ユニット３を固定する固定板４とを備える。そして、固定板４は、裏蓋側から見た平面視において、開口部４Ａ側に向けて突出し、収容凹部２３と重なる位置に設けられた電池押さえ部４１を備える。この電池押さえ部４１は、二次電池ユニット３に当接する当接部４１Ａと、当接部４１Ａよりも先端側に設けられ、裏蓋の装着時に裏蓋に押圧されて当接部４１Ａを二次電池ユニット３側に押圧する押圧部４１Ｂとを備える。【選択図】図７
2012108041.tif 000002
【特許請求の範囲】
【請求項１】
裏蓋を有する外装ケースと、
前記外装ケースに収容され、前記裏蓋側に開口して形成された収容凹部を有するムーブメントと、
前記ムーブメントの前記収容凹部に収容される二次電池と、
前記収容凹部に対応する位置に開口部が形成されて、前記二次電池を固定する固定板とを備え、
前記固定板は、前記裏蓋側から見た平面視において、前記開口部側に向けて突出し、前記収容凹部と重なる位置に設けられた電池押さえ部を備え、
前記電池押さえ部は、前記二次電池に当接する当接部と、前記当接部よりも先端側に設けられ、前記裏蓋の装着時に前記裏蓋に押圧されて前記当接部を前記二次電池側に押圧する押圧部とを備える
ことを特徴とする時計。
【請求項２】
請求項１に記載の時計において、
前記二次電池は、正極缶と負極缶とを備えたボタン型の二次電池であり、前記負極缶が裏蓋側に配置され、
前記電池押さえ部の前記当接部は、前記平面視において、前記二次電池の負極缶と重なる位置であり、かつ、前記収容凹部の中心位置から外れた位置に配置されている
ことを特徴とする時計。
【請求項３】
請求項１または請求項２に記載の時計において、
前記固定板は、前記裏蓋の装着時に前記裏蓋に押圧される被押圧部を備え、
前記被押圧部は、前記電池押さえ部の基端の近傍に形成される
ことを特徴とする時計。
【請求項４】
請求項１から請求項３のいずれかに記載の時計において、
前記ムーブメントには、回路基板と導通する正極端子が設けられ、
前記正極端子は、前記二次電池の側面を押圧する
ことを特徴とする時計。
【発明の詳細な説明】
【技術分野】
【０００１】
本発明は、二次電池が内蔵された時計に関する。
【背景技術】
【０００２】
従来、ソーラーセル等の太陽電池や、回転錘によって作動される発電機で発電された電力を充電する二次電池を備えた時計が知られている。このような時計での二次電池は、充電が可能なものであるため、一次電池のように交換を必要としないものである。このため、二次電池は、押え板等で一般的に時計内部に固定されている（例えば、特許文献１、２参照）。
【０００３】
具体的に、特許文献１では、地板に形成された凹部にボタン型の二次電池が収容されている。そして、凹部を閉塞する回路押え板が地板にねじ止めされることで、二次電池を凹部内に固定している。
また、特許文献２では、時計モジュール内に二次電池が収容されている。そして、二次電池を固定する電池押え板が設けられ、この電池押え板は、一対の断面視Ｌ字状の押え部を備える。これにより、各押え部が二次電池の外側面を保持することで、二次電池を時計モジュール内に固定している。
【先行技術文献】
【特許文献】
【０００４】
【特許文献１】特開２００８−２０２７３号公報
【特許文献２】特開平１１−２５８３６６号公報
【発明の概要】
【発明が解決しようとする課題】
【０００５】
しかしながら、特許文献１によれば、二次電池を時計内部に組み込む際、まず、地板の凹部内に二次電池を収容し、回路押え板を地板にねじ止めした後、さらに裏蓋を取り付ける必要がある。このため、組み立て性が低下する。また、時計内部のメンテナンスを行う際に、二次電池を取り外すこととなるが、この場合、ねじを外して回路押え板を取り外す必要があるため、取り外し作業が面倒である。
また、特許文献２によれば、二次電池は一対の押え部により時計モジュール内に保持されているものの、二次電池の外側面を保持しているのみである。このため、上述したメンテナンス時における二次電池の着脱が容易である一方、例えば、時計を落下させてしまった場合等の外部から衝撃を受けた際、二次電池が押え部から外れ易いという問題がある。
【０００６】
本発明の目的は、組み立て性を向上でき、かつ二次電池を確実に固定できる時計を提供することにある。
【課題を解決するための手段】
【０００７】
本発明の時計は、裏蓋を有する外装ケースと、前記外装ケースに収容され、前記裏蓋側に開口して形成された収容凹部を有するムーブメントと、前記ムーブメントの前記収容凹部に収容される二次電池と、前記収容凹部に対応する位置に開口部が形成されて、前記二次電池を固定する固定板とを備え、前記固定板は、前記裏蓋側から見た平面視において、前記開口部側に向けて突出し、前記収容凹部と重なる位置に設けられた電池押さえ部を備え、前記電池押さえ部は、前記二次電池に当接する当接部と、前記当接部よりも先端側に設けられ、前記裏蓋の装着時に前記裏蓋に押圧されて前記当接部を前記二次電池側に押圧する押圧部とを備えることを特徴とする。
【０００８】
本発明によれば、ムーブメントの収容凹部に収容される二次電池は、裏蓋が装着されることで、固定板の電池押さえ部により押圧されて、収容凹部に固定される。すなわち、従来のように、二次電池を固定するための押え板等のねじ止め等を不要にでき、裏蓋を装着するのみの組み立て工程内で二次電池をムーブメントに収容して固定できる。従って、組み立て工程を簡略化でき、組み立て性を向上できる。一方、時計内部のメンテナンス時においても、裏蓋を取り外すのみの作業で、二次電池を収容凹部から容易に取り外すことができ、二次電池の取り外し作業を簡略化できる。
さらに、本発明では、裏蓋を装着することで二次電池をムーブメントの収容凹部に固定する。すなわち、裏蓋を装着する工程の前に二次電池をムーブメントの収容凹部に収容しておけばよいため、ムーブメントの組み立て工程内で二次電池を収容しておく必要がない。このため、ムーブメントを外装ケースに収容する際のいわゆる外装工程（時計の組み立て工程の最終工程）において、二次電池をムーブメント内に収容することができる。よって、二次電池をムーブメントに装着してから、時計を出荷するまでの期間を短くでき、その分、二次電池の電力消費量も小さくできる。
また、固定板の電池押さえ部は、平面視において、開口部側に向けて突出し、収容凹部と重なる位置に設けられ、二次電池を収容凹部に収容した際に二次電池に当接する当接部と、当接部よりも先端側に設けられた押圧部とを備える。そして、裏蓋が装着されると、押圧部が裏蓋に押圧されることで、当接部にも力が加わるため、当接部は裏蓋の非装着時よりも強い力で二次電池を押圧する。これにより、裏蓋を装着するのみの簡単な作業で、電池押さえ部の当接部が二次電池の上面を押圧するので、二次電池を収容凹部に確実に固定でき、上述した外部からの衝撃を受けた場合でも二次電池が収容凹部から外れることを防止できる。
【０００９】
本発明の時計では、前記二次電池は、正極缶と負極缶とを備えたボタン型の二次電池であり、前記負極缶が裏蓋側に配置され、前記電池押さえ部の前記当接部は、前記平面視において、前記二次電池の負極缶と重なる位置であり、かつ、前記収容凹部の中心位置から外れた位置に配置されていることが好ましい。
【００１０】
本発明によれば、電池押さえ部の当接部は、平面視において、収容凹部の中心位置から外れた位置であり、かつ、二次電池の負極缶と重なる位置にある。このため、収容凹部の開口部が電池押さえ部で二分割された際に、開口面積が大きい領域と小さい領域とに分けることができる。従って、二次電池を収容凹部に収容する際に、開口面積が大きい領域側から二次電池を挿入することができ、二次電池を収容凹部にスムーズに収容できる。つまり、二次電池の組み込み性が優れている。また、電池押さえ部が収容凹部の中心からずれた位置にあるため、この開いたスペースに他の構成部材、例えば裏蓋に固定されたアラーム機能のための圧電素子等を配置しても、圧電素子が電池押さえ部と干渉することなく、配置レイアウトの自由度を向上できる。
さらに、電池押さえ部の当接部が二次電池の負極缶と重なる位置に設けられるので、前記当接部が収容凹部の中心から外れていても、二次電池を確実に押圧できる。すなわち、ボタン型の二次電池では、正極缶が二次電池の底面から側面および上面まで形成され、正極缶の上面の開口部分にガスケットを挟んで負極缶が配置される。そして、負極缶の露出面は平面状に形成されているので、前記当接部が収容凹部の中心つまり負極缶の中心から外れた位置に当接しても、二次電池を確実に押圧して固定できる。
【００１１】
本発明の時計では、前記固定板は、前記裏蓋の装着時に前記裏蓋に押圧される被押圧部を備え、前記被押圧部は、前記電池押さえ部の基端の近傍に形成されることが好ましい。
【００１２】
ところで、裏蓋を装着する際、裏蓋が電池押さえ部の先端側の押圧部を押圧するため、電池押さえ部の基端側に反力が加わり、固定板が裏蓋側に向けて浮き上がるおそれがある。このため、電池押さえ部の基端の近傍をねじ止めすることで、固定板の浮き上がりを防止することが考えられるが、他の部品と干渉するなどでその位置ではねじ止めできない場合も多い。
これに対し、本発明によれば、固定板は電池押さえ部の基端の近傍に裏蓋に押圧される被押圧部を備えるので、裏蓋の装着時に、電池押さえ部の押圧部が裏蓋に押圧されるとともに、電池押さえ部の基端の近傍に設けられた被押圧部も裏蓋に押圧される。これにより、上述した固定板が裏蓋側に向けて浮き上がることを防止できる。さらに、上述した電池押さえ部の基端の近傍のねじ止め等を不要にでき、組み立て作業を簡略化できる。
【００１３】
本発明の時計では、前記ムーブメントには、回路基板と導通する正極端子が設けられ、
前記正極端子は、前記二次電池の側面を押圧することが好ましい。
【００１４】
ところで、二次電池をムーブメントの収容凹部に収容した際に、例えば、二次電池がムーブメントのある構成部材から力を受けて、収容凹部の開口側に浮き上がってしまうことがあると、収容凹部から外れてしまうおそれがある。例えば、誤って一次電池を収容凹部に配置しても時計の回路に電気的に導通が取れないように、二次電池の負極缶にマイナスリード板を固着し、このマイナスリード板の先端を収容凹部外側の負極端子に接触させた場合、マイナスリード板のばね力で二次電池が収容凹部の開口側に浮き上がることがある。
この場合、裏蓋を装着する前では、前記電池押さえ部のみで二次電池を収容凹部内に保持しておくことが難しい場合もあるが、本発明によれば、ムーブメントに設けられた正極端子が二次電池の側面を押圧するので、正極端子と二次電池の側面との間で摩擦が生じる。このため、裏蓋装着前でも、前記正極端子および前記電池押さえ部によって二次電池を収容凹部に保持できる。このため、例えば、二次電池を収容したムーブメントを外装ケースに収容する際に、二次電池が収容凹部から外れることを防止でき、組み立て作業性を向上できる。
【図面の簡単な説明】
【００１５】
【図１】本発明の一実施形態に係る時計の時計本体を示す斜視図。
【図２】前記時計本体から二次電池ユニットを取り外した状態の拡大分解斜視図。
【図３】前記二次電池ユニットの分解斜視図。
【図４】前記時計の要部を示す拡大断面図。
【図５】前記二次電池ユニットの絶縁板の平面図、側面図、及び底面図。
【図６】前記時計本体の固定板を示す斜視図。
【図７】前記時計本体の拡大平面図。
【図８】前記時計の要部を示す拡大断面図。
【図９】前記固定板の側面図。
【発明を実施するための形態】
【００１６】
本発明の一実施形態を図面に基づいて説明する。
〔時計の概略構成〕
図１は、本実施形態に係る時計１の時計本体１０を示す斜視図であり、具体的には、裏蓋側から見た斜視図である。なお、以下で記載する「上」、「下」は、時計１の裏蓋側を上側となるようにして見た時の時計１の厚さ方向における上下に相当するものである。
時計１は、図示しない太陽電池を備え、この太陽電池で発電された電力を二次電池に充電して用いるものである。この時計１は、図１に示すように、時計本体１０を備える。そして、この時計１は、時計本体１０が図示しない外装ケースに収容されることで概略構成され、利用者が腕に装着して使用する腕時計タイプとされている。
ここで、外装ケースは、一般的に、筒状のケースと、筒状のケースの一方の開口を閉塞する裏蓋１１（図８参照）と、筒状ケースの他方の開口を閉塞するカバーガラスとで構成される。
【００１７】
〔時計本体の概略構成〕
時計本体１０は、図１に示すように、ムーブメント２と、ムーブメント２に収容される二次電池ユニット３と、ムーブメント２に収容された二次電池ユニット３を固定する固定板４とで概略構成される。
【００１８】
〔ムーブメントの構成〕
図２は、時計本体１０から二次電池ユニット３を取り外した状態を部分的に拡大して示す拡大分解斜視図である。
ムーブメント２は、地板２１と、回路基板２２（図４参照）とを備える他、ステッピングモーター、駆動輪列等が組み込まれた一般的な構成を採用しているため、以下では各部の説明を省略する。また、ムーブメント２には、裏蓋１１（図８参照）側に開口し、二次電池ユニット３が収容される平面視略円形状の収容凹部２３が形成されている。
また、ムーブメント２には、回路基板２２（図４参照）と導通する正極端子２Ａと、回路基板２２にパターン形成された負極端子２Ｂと、上面から裏蓋１１（図８参照）に向けて突出する位置決め突起部２Ｃと、収容凹部２３の内側面にＬ字状に形成される抑え部２Ｄとが設けられている。
【００１９】
正極端子２Ａは、回路基板２２のプラスパターンに導通し、収容凹部２３の側面のうち、一部が切り欠かれた切欠部２３Ａの端縁から収容凹部２３の周方向に沿って延出している。そして、正極端子２Ａは、二次電池ユニット３が収容凹部２３に収容されると、後述する二次電池３１の側面に当接して外側に押圧されて撓むため、収容凹部２３側に戻ろうとして二次電池３１の側面を押圧し、二次電池ユニット３を保持する。
負極端子２Ｂは、回路基板２２のマイナスパターンに導通し、収容凹部２３の外側においてムーブメント２の裏蓋側に露出しており、二次電池ユニット３の後述するマイナスリード板３２（リード板）に当接される。
位置決め突起部２Ｃは、円柱状に形成されて、二次電池ユニット３を収容凹部２３の周方向に対して位置決めするものである。
抑え部２Ｄは、二次電池ユニット３の二次電池３１の上面に当接し、収容凹部２３に収容された二次電池ユニット３が裏蓋１１側に浮き上がることを、正極端子２Ａや後述する電池押さえ部４１と共に抑制するものである。
【００２０】
〔二次電池ユニットの構成〕
図３は、二次電池ユニット３の分解斜視図であり、図４は、二次電池ユニット３がムーブメント２内に収容された状態を示す拡大断面図である。
二次電池ユニット３は、図３及び図４に示すように、二次電池３１と、二次電池３１の上面を覆うマイナスリード板３２と、マイナスリード板３２の上面を覆う絶縁板３３とを備える。この二次電池ユニット３は、正極端子２Ａ（図２参照）及び負極端子２Ｂに接続されることで、図示しない太陽電池で発電された電力が充電されるとともに、回路基板２２等に電力を供給し、モーターなどの駆動機構を駆動する。
【００２１】
二次電池３１は、リチウムイオン電池等の充電が可能な一般的なボタン型の電池である。この二次電池３１は、図３に示すように、上方が開口した正極缶３１１と、正極缶３１１の開口を閉塞する負極キャップ（負極缶）３１２と、正極缶３１１と負極キャップ３１２とを絶縁するとともに、二次電池３１内部の活物質や電解液が漏れないようにシールするガスケット３１３とを備える。
【００２２】
マイナスリード板３２は、導体を有する材質で構成され、図４に示すように、二次電池３１の負極キャップ３１２の上面に溶接で固定されるとともに、回路基板２２と導通する負極端子２Ｂに接触される。このマイナスリード板３２は、図３及び図４に示すように、二次電池３１の負極キャップ３１２に固定される板状のリード板本体３２Ａと、リード板本体３２Ａの側面から二次電池３１の外周側に延出し、さらに下側に屈曲される端子部３２Ｂと、リード板本体３２Ａの側面から延出する位置決め部３２Ｃとを備える。
【００２３】
端子部３２Ｂは、ばね性を持たせるため、細長い板状に形成されている。また、端子部３２Ｂは、二次電池ユニット３がムーブメント２の収容凹部２３に収容されていない場合、図４の二点鎖線で示すように、端子部３２Ｂの先端が二次電池３１の厚さ寸法の略中間に位置するように形成されている。
一方、二次電池ユニット３がムーブメント２内部に収容されると、端子部３２Ｂは、端子部３２Ｂの先端が負極端子２Ｂと当接するため、実線で示す位置となる。すなわち、二次電池ユニット３が収容凹部２３に収容されると、負極端子２Ｂの高さ位置は、端子部３２Ｂの初期位置よりも上方にあるため、端子部３２Ｂは上方に撓む。このため、端子部３２Ｂは、二点鎖線の位置に戻ろうとする力が作用し、負極端子２Ｂに圧接して確実に接触する。また、端子部３２Ｂが撓むことで、二次電池３１を上方に押し上げる力が働くが、二次電池３１は、正極端子２Ａ、及び固定板４の後述する電池押さえ部４１の当接部４１Ａによって保持されるため、端子部３２Ｂからの力で裏蓋１１側に押し上げられることはない。
位置決め部３２Ｃには、平面視半円形状の係合部３２Ｃ１が切り欠き形成されている。この係合部３２Ｃ１には、ムーブメント２の位置決め突起部２Ｃ（図１及び図２参照）が係合されることで、二次電池ユニット３が収容凹部２３の周方向に対して位置決め固定される。
【００２４】
図５は、絶縁板３３の平面図、側面図、及び底面図である。
絶縁板３３は、図５に示すように、絶縁性を有するポリエチレンテレフタレートで構成されるＰＥＴ基材３３１、及びＰＥＴ基材３３１の上面に印刷された文字等を保護するためにラミネート加工により積層される保護材３３２の２層構造で構成される。この絶縁板３３は、図３から図５に示すように、マイナスリード板３２のリード板本体３２Ａの上面に接着される平面部３３Ａと、マイナスリード板３２の端子部３２Ｂを覆う位置に形成されて、平面部３３Ａの端縁から延出した可動部３３Ｂとを備える。
平面部３３Ａは、図５に示すＰＥＴ基材３３１の裏面の所定領域に接着剤３３３が塗布されて、リード板本体３２Ａの上面に接着される。
可動部３３Ｂは、二次電池ユニット３がムーブメント２の収容凹部２３に収容されていない場合、平面部３３Ａと同一平面上にあるが、二次電池ユニット３がムーブメント２の収容凹部２３に収容された場合、図４に示すように、端子部３２Ｂの上方への移動に伴って端子部３２Ｂに押圧されて可動する（変形する）。すなわち、可動部３３Ｂは、二次電池ユニット３をムーブメント２の収容凹部２３への収容時に、端子部３２Ｂの上方への動作を妨げないようになっている。
【００２５】
〔固定板の構成〕
図６は、固定板４を示す斜視図である。
固定板４は、図６に示すように、ムーブメント２に対応する形状の板状体であり、二次電池ユニット３をムーブメント２の収容凹部２３に対して固定する。また、固定板４は、図１に示すように、３つのネジ５０を介して、ムーブメント２の上面に固定されている。この固定板４には、ムーブメント２の収容凹部２３に対応する位置に開口部４Ａが形成される。そして、固定板４は、開口部４Ａ内に向けて突出した電池押さえ部４１と、電池押さえ部４１の基端の近傍に形成された一対の被押圧部４２と、固定板４の上面に互いに異なる位置に形成された３つの板押さえ部４３とを備える。
【００２６】
図７は、時計本体１０の要部を拡大した拡大平面図であり、図８は、時計１を固定板４の電池押さえ部４１の位置で断面した拡大断面図である。図９は、固定板４の側面図である。
電池押さえ部４１は、図７に示すように、裏蓋１１側から見た平面視で、固定板４の基端部４Ｂから収容凹部２３と重なる方向に延出し、片持ちばね状に形成される。より具体的には、電池押さえ部４１は、図６に示すように、固定板４の基端部４Ｂから二股に分岐して上方に向かう分岐部４１０と、分岐部４１０の先端から分岐部４１０の二股の構成を中間まで維持しながら下方に向けて傾斜する傾斜部４１１と、傾斜部４１１の先端から上斜め方向に突出する突出部４１２とを備える。
【００２７】
電池押さえ部４１の屈曲部分である傾斜部４１１と突出部４１２との間には、二次電池ユニット３がムーブメント２の収容凹部２３に収容された際に、二次電池ユニット３の上面に当接する当接部４１Ａが形成される。そして、この当接部４１Ａは、二次電池ユニット３の収容凹部２３への収容時に端子部３２Ｂが負極端子２Ｂから受ける反力により、二次電池ユニット３の上面に当接する。
また、当接部４１Ａよりも先端側で、かつ電池押さえ部４１の先端には、図６から図８に示すように、裏蓋１１の装着時に裏蓋１１に押圧される押圧部４１Ｂが形成される。すなわち、押圧部４１Ｂの固定板４の上面からの高さ寸法は、図９に示すように、被押圧部４２及び板押さえ部４３の先端の固定板４の上面からの高さ寸法よりも大きく、押圧部４１Ｂは固定板４の上面から最も高い位置にある。
これにより、電池押さえ部４１は、裏蓋１１の装着時に、図８に示すように、押圧部４１Ｂが裏蓋１１に押圧されるため、二次電池ユニット３に当接している電池押さえ部４１の当接部４１Ａに下方に向けた力が作用する。従って、当接部４１Ａがさらに二次電池ユニット３の上面を押圧しながら、二次電池ユニット３が収容凹部２３に固定されて、固定板４は、二次電池ユニット３の収容凹部２３における時計厚み方向の位置決め固定をする。
【００２８】
また、電池押さえ部４１は、図７に示す平面視において、収容凹部２３の中心位置Ｏと正極端子２Ａとの間で、当接部４１Ａが負極キャップ３１２の領域内に位置するように、ムーブメント２の外側に偏心して設けられている。このため、収容凹部２３の一方の開口（ムーブメント２の内側寄り）が他方の開口（ムーブメント２の外側寄り）よりも大きく開口している。
この際、電池押さえ部４１が二次電池ユニット３の中心からずれた位置に当接することで、前記当接部４１Ａに対して中心位置Ｏを挟んだ二次電池ユニット３の反対側が浮き上がるおそれがあるが、その反対側にあるムーブメント２の抑え部２Ｄが二次電池３１の上面に当接することで、二次電池ユニット３の浮き上がりを抑制している。
なお、このような構成であれば、例えば、裏蓋１１に固定されたアラーム機能のための圧電素子を収容凹部２３の一方の開口側のスペースに配置することも可能である。
【００２９】
被押圧部４２は、図８に示すように、裏蓋１１の装着時に先端が押圧されるものである。すなわち、二次電池ユニット３をムーブメント２の収容凹部２３に固定板４により固定して、裏蓋１１を装着する際、上述したように電池押さえ部４１の押圧部４１Ｂが被押圧部４２及び板押さえ部４３の先端に比べて固定板４の上面から最も高い位置にあるため、この押圧部４１Ｂが最初に裏蓋１１に押圧されることとなる。このため、固定板４の基端部４Ｂは、ねじ５０によりムーブメント２に対してねじ止めされていないため、上方に向けて浮き上がるおそれがある。そこで、被押圧部４２は、この固定板４の浮き上がりを抑制している。
また、被押圧部４２は、図６に示すように、固定板４の基端部４Ｂから互いに異なる方向に延出した第１被押圧部４２１、及び第２被押圧部４２２を備える。被押圧部４２は、電池押さえ部４１の押圧部４１Ｂによる固定板４の浮き上がりを抑制する効果をより高めるために、電池押さえ部４１の基端の近傍に設けられている。
【００３０】
第１被押圧部４２１は、開口部４Ａの開口端縁から電池押さえ部４１に沿う方向に延出し、上斜め方向に突出している。この第１被押圧部４２１の先端の固定板４の上面からの高さ寸法は、固定板４の上面から電池押さえ部４１の押圧部４１Ｂ、被押圧部４２の第２被押圧部４２２の先端、及び各板押さえ部４３の先端までの高さ寸法よりも小さくされる。
第２被押圧部４２２は、固定板４の基端部４Ｂから第１被押圧部４２１の延出方向とは反対方向に延出し、長手方向の寸法が第１被押圧部４２１よりも長く形成されている。
【００３１】
板押さえ部４３は、被押圧部４２と同様の機能を有し、裏蓋１１の装着時に先端が押圧されることで、固定板４の浮き上がりを抑制するものである。各板押さえ部４３は、図６に示すように、固定板４がねじ５０によりねじ止めされていない部分に形成され、固定板４の上面の周方向に沿って形成されている。そして、各板押さえ部４３の先端、及び被押圧部４２の第２被押圧部４２２の先端の固定板４の上面からの高さ寸法は、同一となっている。これにより、裏蓋１１の装着時に、裏蓋１１が電池押さえ部４１の押圧部４１Ｂを押圧してから、第２被押圧部４２２、及び各板押さえ部４３を押圧することで、押圧部４１Ｂが押圧されることで生じる固定板４の浮き上がりを抑制している。
【００３２】
〔時計の組み立て〕
次に、時計本体１０の組み立て方法について図面を参照して説明する。また、以下の説明の中では、裏蓋１１の装着時に電池押さえ部４１の当接部４１Ａ及び押圧部４１Ｂに生じる力の作用等についても説明する。
固定板４がねじ５０を介してムーブメント２に取り付けられた状態において、二次電池ユニット３を収容凹部２３に収容する。具体的に、電池押さえ部４１は平面視において収容凹部２３の中心位置Ｏ（図７参照）に対して偏心して設けられているため、二次電池ユニット３は、一方（ムーブメント２の内側寄り）の大きく開口した収容凹部２３の開口から収容される。
【００３３】
この際、図７に示すように、二次電池ユニット３の位置決め部３２Ｃの係合部３２Ｃ１をムーブメント２の位置決め突起部２Ｃに係合させる。そして、二次電池ユニット３の上面を当接部４１Ａに当接させつつ、二次電池ユニット３の端子部３２Ｂを負極端子２Ｂに当接させる。また、正極端子２Ａは、二次電池ユニット３の正極缶３１１を押圧している。
具体的に、図４に示すように、二次電池ユニット３の端子部３２Ｂが負極端子２Ｂに当接すると、端子部３２Ｂは上方に撓み、負極端子２Ｂに圧接する。このため、二次電池ユニット３は、端子部３２Ｂのばね力で上方へ移動しようとし、当接部４１Ａは、端子部３２Ｂから加えられた力を受ける。また、二次電池ユニット３が上方へ移動しようとするため、二次電池ユニット３の正極缶３１１の側面を押圧している正極端子２Ａと正極缶３１１との間で摩擦が生じる。
ここで、端子部３２Ｂによって二次電池ユニット３に加わる反力が約０．０５（Ｎ）の場合、正極缶３１１を押圧する正極端子２Ａは、端子部３２Ｂによる力の半分の約０．０２５（Ｎ）の力を受け、電池押さえ部４１のばね（基端部４Ｂから当接部４１Ａまでのばね部分）は、約０．０１（Ｎ）〜０．０３（Ｎ）の力を受ける。
すなわち、負極端子２Ｂに接触することで生じる端子部３２Ｂの反力と、電池押さえ部４１及び正極端子２Ａによって生じる力とがほぼ釣り合うことになる。このため、二次電池ユニット３は、裏蓋１１が装着される前のムーブメント状態においても、電池押さえ部４１及び正極端子２Ａにより収容凹部２３内に保持される。
【００３４】
次に、二次電池ユニット３が収容された時計本体１０を図示しない筒状ケースに収容して、一方の開口を閉塞するように裏蓋１１を装着する。この際、電池押さえ部４１は、図８に示すように、押圧部４１Ｂが裏蓋１１に押圧されることとなる。そして、押圧部４１Ｂが裏蓋１１に押圧されることで、二次電池ユニット３と当接していた当接部４１Ａが下方に向けて押圧されて、二次電池ユニット３に当接部４１Ａから力Ｗが加えられる。
例えば、図８に示すように、電池押さえ部４１の基端から当接部４１Ａまでの距離ａを５．３（ｍｍ）、電池押さえ部４１の基端から押圧部４１Ｂまでの距離Ｌを８．６（ｍｍ）、押圧部４１Ｂに裏蓋１１から加えられる力Ｗ１を約０．３（Ｎ）とすると、一般的な式であるＷ１＝Ｗ×ａ／Ｌを用いて、以下の式（１）から、当接部４１Ａに加わる力Ｗが約０．４９（Ｎ）と求まる。
【００３５】
【数１】
2012108041.tif 000003
【００３６】
そして、二次電池ユニット３は、裏蓋１１が装着されることで、当接部４１Ａに押圧され、収容凹部２３に確実に固定される。
なお、上記の時計本体１０の組み立て方法は、ムーブメント２を筒状のケースに収容する前に、二次電池ユニット３をムーブメント２に収容していたが、先にムーブメント２を筒状のケースに収容した後に、外装工程において、二次電池ユニット３をムーブメント２に収容し、裏蓋１１を装着して二次電池ユニット３を固定してもよい。
【００３７】
上述した本実施形態に係る時計１によれば、以下の効果を奏する。
本実施形態によれば、ムーブメント２の収容凹部２３に収容される二次電池ユニット３は、裏蓋１１が装着されることで、固定板４の電池押さえ部４１により押圧されて、収容凹部２３に固定される。すなわち、従来のように、二次電池を固定するためのねじ止め等を不要にでき、裏蓋１１を装着するのみの組み立て工程内で二次電池ユニット３をムーブメント２に収容して固定できる。従って、組み立て工程を簡略化でき、組み立て性を向上できる。一方、時計１内部のメンテナンス時においても、裏蓋１１を取り外すのみの作業で、二次電池ユニット３を収容凹部２３から容易に取り外すことができ、二次電池ユニット３の取り外し作業を簡略化できる。
さらに、裏蓋１１を装着することで二次電池ユニット３をムーブメント２の収容凹部２３に固定する。すなわち、裏蓋１１を装着する工程の前に二次電池ユニット３をムーブメント２の収容凹部２３に収容しておけばよいため、ムーブメント２の組み立て工程内で二次電池ユニット３を収容しておく必要がない。このため、ムーブメント２を外装ケースに収容する際のいわゆる外装工程（時計の組み立て工程の最終工程）において、二次電池ユニット３をムーブメント２内に収容することができる。よって、二次電池ユニット３をムーブメント２に装着してから、時計１を出荷するまでの期間を短くでき、その分、二次電池３１の電力消費量も小さくでき、時計１の出荷時に時計１の持続時間を確保することができる。
【００３８】
また、電池押さえ部４１は、裏蓋１１に当接することで大きな押圧力を発生するため、電池押さえ部４１自体で大きな押圧力を発生させる必要がない。このため、裏蓋１１の装着前であれば、電池押さえ部４１を裏蓋１１側に変位させることができる。このため、二次電池ユニット３を収容凹部２３に収容する際、例えば、電池押さえ部４１を持ち上げることが可能であり、二次電池ユニット３を容易に収容凹部２３に収容できる。
【００３９】
さらに、固定板４の電池押さえ部４１は、平面視において、開口部４Ａ側に向けて突出し、収容凹部２３と重なる位置に設けられ、二次電池ユニット３を収容凹部２３に収容した際に二次電池ユニット３に当接する当接部４１Ａと、当接部４１Ａよりも先端側に設けられた押圧部４１Ｂとを備える。そして、裏蓋１１が装着されると、押圧部４１Ｂが裏蓋１１に押圧されることで、当接部４１Ａにも力が加わるため、当接部４１Ａは裏蓋１１の非装着時よりも強い力で二次電池ユニット３を押圧する。これにより、裏蓋１１を装着するのみの簡単な作業で、電池押さえ部４１の当接部４１Ａが二次電池ユニット３の上面を押圧するので、二次電池ユニット３を収容凹部２３に確実に固定でき、上述した外部からの衝撃を受けた場合でも二次電池ユニット３が収容凹部２３から外れることを防止できる。
【００４０】
また、二次電池ユニット３は、収容凹部２３への収容時に、二次電池３１の側面が正極端子２Ａに押圧される。具体的に、二次電池ユニット３は、収容凹部２３に収容されると、負極端子２Ｂに接触する端子部３２Ｂにより上方に向けた力を受けるため、収容凹部２３の開口側に浮き上がろうとする。これにより、正極端子２Ａと二次電池３１の側面との間で摩擦が生じるため、二次電池ユニット３の上方への浮き上がりを抑制できる。従って、ムーブメント状態においても、電池押さえ部４１および正極端子２Ａで二次電池ユニット３を収容凹部２３に保持でき、二次電池ユニット３を収容した時計本体１０を外装ケースに収容する際に、二次電池ユニット３が収容凹部２３から外れることを防止できる。
【００４１】
さらに、電池押さえ部４１の当接部４１Ａは、平面視において、収容凹部２３の中心位置Ｏと正極端子２Ａとの間で、二次電池３１の負極キャップ３１２と重なる位置にある。すなわち、電池押さえ部４１は、平面視で、収容凹部２３の中心位置Ｏからずれた位置で収容凹部２３と重なっている。このため、二次電池ユニット３を収容凹部２３の一方の大きな開口から収容凹部２３にスムーズに収容できる。また、電池押さえ部４１が収容凹部２３の中心位置Ｏからずれた位置にあるため、収容凹部２３の一方の大きく開口したスペースに他の構成部材、例えば裏蓋１１に固定されたアラーム機能のための圧電素子等を配置しても、圧電素子が電池押さえ部４１と干渉することなく、配置レイアウトの自由度を向上できる。
【００４２】
また、固定板４は、電池押さえ部４１の基端の近傍に裏蓋１１に押圧される被押圧部４２を備えるので、裏蓋１１の装着時に、電池押さえ部４１の押圧部４１Ｂが裏蓋１１に押圧されるとともに、電池押さえ部４１の基端の近傍に設けられた被押圧部４２も裏蓋１１に押圧される。これにより、上述した固定板４が裏蓋１１側に向けて浮き上がることを防止できる。さらに、上述した電池押さえ部４１の基端の近傍のねじ止め等を不要にでき、組み立て作業を簡略化できる。
【００４３】
さらに、二次電池ユニット３には回路基板２２と導通するマイナスリード板３２が設けられているので、例えば、ムーブメント２の収容凹部２３に一次電池を誤って収容した場合、このような一次電池はマイナスリード板３２を有していないため、回路基板２２と導通することがない。従って、一次電池を誤ってムーブメント２に収容した場合には、ムーブメントは正常に動作しない。さらに、一次電池が充電されることを防止できる。
【００４４】
［実施形態の変形］
なお、本発明は前述の実施形態に限定されるものではなく、本発明の目的を達成できる範囲での変形、改良等は本発明に含まれるものである。
前記実施形態では、本発明に係る時計として太陽電池付の時計１を例示したが、二次電池が内蔵されている時計であればよく、例えば、回転錘で発電機のローターを回転させることで発電した電力を二次電池に充電するような構成を備える時計であってもよい。
前記実施形態では、二次電池３１の負極キャップ３１２が裏蓋１１側に位置するように収容凹部２３に収容されていたが、負極キャップ３１２が収容凹部２３の底部側に位置するように収容凹部２３に収容してもよい。この場合には、収容凹部２３の底面に負極端子２Ｂを設ければよく、絶縁板３３を不要にできる。
前記実施形態では、二次電池３１、マイナスリード板３２、及び絶縁板３３は、二次電池ユニット３としてユニット化されていたが、マイナスリード板３２や絶縁板３３を設けない構成であってもよい。この場合には、電池押さえ部４１が回路基板２２と導通するように構成するとともに、裏蓋１１に絶縁シートを貼り付けて電池押さえ部４１や二次電池３１の負極キャップ３１２が裏蓋１１に接触しないように構成すればよい。
【００４５】
前記実施形態では、押圧部４１Ｂが電池押さえ部４１の先端に形成されたが、当接部４１Ａよりも先端側であればよく、電池押さえ部４１の先端に形成されていなくてもよい。
前記実施形態では、電池押さえ部４１の当接部４１Ａは、平面視において、収容凹部２３の中心位置Ｏと正極端子２Ａとの間で、負極キャップ３１２の領域内に位置していたが、当接部４１Ａが収容凹部２３の中心位置Ｏ（負極キャップ３１２の中心位置）と重なるように位置していていてもよい。このような構成によれば、電池押さえ部４１の当接部４１Ａが二次電池ユニット３の重心位置を押圧するため、二次電池ユニット３の固定をより強固にできる。
前記実施形態では、固定板４に被押圧部４２や板押さえ部４３を設けたが、電池押さえ部４１の基端をねじ５０でねじ止めしたり、固定板４のねじ５０のねじ止め箇所を増やすことで、被押圧部４２や板押さえ部４３を設けない構成であってもよい。この場合には、固定板４に被押圧部４２や板押さえ部４３を形成する必要がないので、固定板４の構造を簡素化できる。
【００４６】
前記実施形態では、電池押さえ部４１は、「く」の字状に屈曲形成され、屈曲部分に当接部４１Ａが設けられていたが、コ字状等に形成して、当接部を直線状に形成してよい。この場合には、当接部の二次電池ユニット３に対する押圧面積が大きくなり、二次電池ユニット３をより強固に固定できる。
前記実施形態では、本発明に係る時計として、腕時計タイプの時計を例示して説明したが、これに限らず、壁掛け時計等、他のタイプの時計であってもよい。
【符号の説明】
【００４７】
１…時計、２…ムーブメント、２Ａ…正極端子、３…二次電池ユニット（二次電池）、４…固定板、４Ａ…開口部、１１…裏蓋、２２…回路基板、２３…収容凹部、３１…二次電池、４１…電池押さえ部、４１Ａ…当接部、４１Ｂ…押圧部、４２…被押圧部、３１１…正極缶、３１２…負極キャップ（負極缶）、Ｏ…中心位置。
【図１】
2012108041.tif 000004
【図２】
2012108041.tif 000005
【図３】
2012108041.tif 000006
【図４】
2012108041.tif 000007
【図５】
2012108041.tif 000008
【図６】
2012108041.tif 000009
【図７】
2012108041.tif 000010
【図８】
2012108041.tif 000011
【図９】
2012108041.tif 000012